(57)【要約】【課題】  主電源スイッチの短期間オフオンや電源ケーブルの短期間引き抜が発生しても、装置の構成要素に動作不安定を引き起こし難くする。【解決手段】  第１のリセット検出部３は、直流電源が第１の基準電圧を越えて低下したとき、当該装置の構成要素をリセットさせるための第１のリセット信号Ｓ１を出力する。電源検出部７は、主電源スイッチＳＷのオフ状態、又は主電源スイッチＳＷの挿入された電源回路１５の電源遮断状態を検出して電源検出信号を出力する。第２のリセット検出部５は、電源検出信号の入力状態において、直流電源が第１の基準電圧より高い第２の基準電圧を越えて低下したとき、構成要素をリセットさせるための第２のリセット信号Ｓ５を出力する。【選択図】  図１
2011224865.tif 000002
【特許請求の範囲】
【請求項１】
当該装置における直流電源が所定の第１の基準電圧を越えて低下したとき、当該装置の構成要素をリセットさせるための第１のリセット信号を出力する第１のリセット検出部と、
当該装置における主電源スイッチのオフ状態、又は前記主電源スイッチの挿入された電源回路の電源遮断状態を検出して電源検出信号を出力する電源検出部と、
前記電源検出信号の入力状態において、前記直流電源が前記第１の基準電圧より高い第２の基準電圧を越えて低下したとき、当該装置の前記構成要素をリセットさせるための第２のリセット信号を出力する第２のリセット検出部と、
を具備することを特徴とする電源制御装置。
【請求項２】
前記第１又は第２のリセット信号に基づき当該装置の前記構成要素に出力してこれをリセットさせる出力リセット信号を出力する論理回路を有する請求項１記載の電源制御装置。
【請求項３】
前記主電源スイッチのオフ状態を検出する主電源スイッチ検出部と、前記電源回路の電源遮断状態を検出する電源遮断検出部を有する請求項１又は２記載の電源制御装置。
【請求項４】
前記請求項１〜３いずれか１項記載の電源制御装置と、画像データを画像形成する画像形成部であって前記直流電源によって動作するとともに、前記出力リセット信号によって動作リセットされる画像形成部と、を具備することを特徴とする画像形成装置。
【発明の詳細な説明】
【技術分野】
【０００１】
本発明は電源制御装置および画像形成装置に係り、例えば、電子写真方式の複写機、ファクシミリ機、プリンタ又はこれらの機能を搭載した複合機（ＭＦＰ：Multi Function Peripheral）等の画像形成装置に搭載して好適する電源制御装置および当該画像形成装置の改良に関する。
【背景技術】
【０００２】
この種の画像形成装置にあっては、一般に、原稿上の画像情報から画像データを光学的に読み取り、その画像データに基づきトナー像を形成して用紙に転写定着させて印刷する印刷（印字）機能の他、画像データをファクシミリ送受信するファクシミリ機能、その他種々の画像データ処理機能を有しており、ＣＰＵ（central processing unit）等のＩＣを搭載した種々の電子回路その他によって実現される。
【０００３】
そして、そのような電子回路においては、例えば、電源オフ時や電源が遮断されたときの電圧低下に起因して誤動作を発生させ易いので、工夫が必要である。
【０００４】
そこで、図４に示すように、画像形成装置の構成要素である電子回路（図示せず。）に供給される例えば５Ｖの直流電源をリセット検出部１にて監視し、５Ｖの直流電源が所定のリセット基準電圧を越えて低下すると、それを検出してリセット信号を電子回路等へ出力し、それに搭載されたＣＰＵ（図示せず）等のＩＣがリセット（初期化）されるように構成して電子回路の誤動作を抑え安全性を確保している。
【０００５】
図４中の符号ＶＣＣはリセット検出部１の電源端子、符号ＥＮＡＢＬＥはリセット検出部１の制御端子であってアース（Ｌレベル）状態でリセット検出部１をアクティブにする。
【０００６】
図５Ａは、図４に示す構成の動作を説明する波形図であり、リセット基準電圧を４．５Ｖに設定して５Ｖの直流電源が４．５Ｖのリセット基準電圧を越えて低下すると、５０ｍｓｅｃ程度のリセット期間でＬレベルのリセット信号を出力する動作を示すものである。
【０００７】
なお、特開２００２−３３７３４２号公報（特許文献１）のインクジェット記録装置や特開２００７−３１１９７１号公報（特許文献２）の半導体集積回路装置は、直流電源の低下に伴うリセット信号を出力する構成を示す一般的な特許文献である。
【先行技術文献】
【特許文献】
【０００８】
【特許文献１】特開２００２−３３７３４２号公報
【特許文献２】特開２００７−３１１９７１号公報
【発明の開示】
【発明が解決しようとする課題】
【０００９】
しかしながら、画像形成装置において、何らかの理由で主電源スイッチ（メインスイッチ）が短期間でオフオンされると、直流電源が５Ｖから例えば４．５１Ｖまでしか低下せずに５Ｖに復帰し、リセット検出部１が直流電源の低下を検出せずにリセット信号を出力させない事態が生じ、電子回路がリセットされずに動作が不安定になったり誤動作を発生させ易い。
【００１０】
画像形成装置の構成要素である電子回路は、直流電源５Ｖで動作する場合、４．５Ｖ〜５．５Ｖの範囲で動作保証されるのが一般的であるが、この動作保証は一定の電源が供給されている状況が前提であり、短期間で直流電源が変化すると、急激な電圧の低下に耐えることができずに誤動作や動作ロックを引き起こし易く、これによってユーザがサービスコールを発生させる事態に至る可能性がある。
【００１１】
これを回避するには、短期間に主電源スイッチをオフオンしないような注意を喚起するためのシールを画像形成装置に貼る等の対応が考えれるが、ユーザが必ずしもそれに気づくとは限らず、あまり有効とは言い難い。
【００１２】
もっとも、上述したリセット検出部１におけるリセット基準電圧を、例えば４．９Ｖ〜４．８Ｖ程度に上昇させれば、主電源スイッチを短期間でオフオンさせても、リセット信号を出力させることが可能であるが、逆に、直流電源の僅かな変動によってもリセット信号が出力されてしまい、却って、電子回路の誤動作を招き易いうえ、静電気に起因する直流電源の変動に対しても弱くなる難点がある。
【００１３】
本発明はそのような課題を解決するためになされたもので、装置の主電源スイッチが短期間でオフオンされたり、電源ケーブルがコンセントから短期間引き抜かれても、装置の構成要素に動作不安定を引き起こし難い電源制御装置および画像形成装置の提供を目的とする。
【課題を解決するための手段】
【００１４】
そのような課題を解決するために本発明の請求項１に係る電源制御装置は、当該装置における直流電源が所定の第１の基準電圧を越えて低下したとき、当該装置の構成要素をリセットさせるための第１のリセット信号を出力する第１のリセット検出部と、当該装置における主電源スイッチのオフ状態、又は主電源スイッチの挿入された電源回路の電源遮断状態を検出して電源検出信号を出力する電源検出部と、その電源検出信号の入力状態において、その直流電源が第１の基準電圧より高い第２の基準電圧を越えて低下したとき、当該装置の構成要素をリセットさせるための第２のリセット信号を出力する第２のリセット検出部とを具備している。
【００１５】
本発明の請求項２に係る電源制御装置は、上記第１又は第２のリセット信号に基づき当該装置の構成要素に出力してこれをリセットさせる出力リセット信号を出力する論理回路を有する構成である。
【００１６】
本発明の請求項３に係る電源制御装置は、上記主電源スイッチのオフ状態を検出する主電源スイッチ検出部と、その電源回路の電源遮断状態を検出する電源遮断検出部を有する構成である。
【００１７】
本発明の請求項４に係る画像形成装置は、それら請求項１〜３いずれか１項記載の電源制御装置と、画像データを画像形成する画像形成部であって直流電源によって動作するとともに、上記出力リセット信号によって動作リセットされる画像形成部とを具備する構成である。
【発明の効果】
【００１８】
このような本発明の請求項１に係る電源制御装置では、直流電源が所定の第１の基準電圧を越えて低下したとき第１のリセット検出部から第１のリセット信号を出力し、主電源スイッチがオフされたり、又は電源回路の電源導通状態が遮断されると電源検出部が電源検出信号を出力し、この電源検出信号の入力状態において、その直流電源が第２の基準電圧を越えて低下したとき第２のリセット検出部が第２のリセット信号を出力するから、装置の主電源スイッチが短期間でオフオンされたり、電源ケーブルがコンセントから短期間引き抜かれても、装置の構成要素に動作不安定を引き起こし難い。
【００１９】
本発明の請求項２に係る電源制御装置では、上記第１又は第２のリセット検出部から第１又は第２のリセット信号が出力されたとき、当該装置の構成要素に出力してこれをリセットさせる出力リセット信号を論理回路から出力するので、第１又は第２のリセット信号に基づき出力リセット信号が出力され、出力リセット信号の出力回路構成を複雑化し難い。
【００２０】
本発明の請求項３に係る電源制御装置では、上記主電源スイッチのオフ状態を検出する主電源スイッチ検出部と、その電源回路の電源遮断状態を検出する電源遮断検出部を有するから、主電源スイッチのオフ状態、又は電源回路の電源遮断状態を確実に検出可能である。
【図面の簡単な説明】
【００２１】
【図１】本発明に係る電源制御装置の実施の形態を示す概略ブロック図である。
【図２】本発明に係る電源制御装置の動作を説明する図である。
【図３】本発明に係る電源制御装置を含む画像形成装置の実施の形態を示す概略ブロック図である。
【図４】従来の電源制御装置を示す概略ブロック図である。
【図５】本発明および従来の電源制御装置の動作を説明する波形図である。
【発明を実施するための最良の形態】
【００２２】
以下、本発明に係る電源制御装置および画像形成装置の実施の形態を図面を参照して説明する。
【００２３】
図１は本発明に係る電源制御装置Ａの実施の一形態を示す概略ブロック図である。
【００２４】
図１において、本発明に係る電源制御装置Ａは、第１のリセット検出部３、第２のリセット検出部５、電源検出部７、論理回路９、主電源スイッチ検出部１１および電源遮断検出部１３を有して構成されている。
【００２５】
第１のリセット検出部３は、当該装置Ａにおける直流電源が第１の基準電圧を越えて低下したとき、第１のリセット信号を出力する機能を有し、公知のリセットＩＣで形成されている。
【００２６】
すなわち、第１のリセット検出部３は、後述する電源回路１５において外部交流電源（ＡＣ１００Ｖ）を降圧して整流平滑した例えば５Ｖの直流電源を電源端子ＶＣＣから入力し、例えば図５Ｂに示すような４．５Ｖの第１の基準電圧とそれを比較し、直流電源が第１の基準電圧を超えて低下したとき、第１のリセット信号Ｓ１を５０ｍｓｅｃの期間で出力する機能を有している。
【００２７】
第１のリセット検出部３は、その第１の基準電圧を予め設定しており、制御端子ＥＮＡＢＬＥがアース（Ｌ）状態のときアクティブになって第１のリセット信号Ｓ１がＬレベルで出力される。
【００２８】
第２のリセット検出部５は、５Ｖの直流電源を電源端子ＶＣＣに入力し、後述する電源検出信号Ｓ４の入力された状態において、５Ｖの直流電源がこれより低く４．５Ｖの第１の基準電圧より高い４．８Ｖの第２の基準電圧を越えて低下したとき、第２のリセット信号Ｓ５を出力する機能を有し、公知のリセットＩＣで形成されている。
【００２９】
第２のリセット検出部５は、４．８Ｖの第２の基準電圧を予め設定しており、制御端子ＥＮＡＢＬＥがアース（Ｌ）状態のとき、アクティブになって第２のリセット信号Ｓ５がＬレベルで出力される。制御端子ＥＮＡＢＬＥは電源検出部７によってＬレベルに制御される。
【００３０】
電源検出部７は、主電源スイッチ検出部１１からＬレベルの主電源スイッチＳＷのオフ状態検出信号Ｓ２、又は電源遮断検出部１３からＬレベルの電源遮断検出信号Ｓ３が入力されたとき、Ｌレベルの電源検出信号Ｓ４を第２のリセット検出部５の制御端子ＥＮＡＢＬＥに出力する機能を有するＯＲ論理ゲート回路である。
【００３１】
主電源スイッチ検出部１１は、当該装置における主電源をオンオフする主電源スイッチＳＷの遮断状態を検出するセンサであり、主電源スイッチＳＷがオフ操作されたときＬレベルのオフ状態検出信号Ｓ２を電源検出部７の一方の入力部７ａに出力する機能を有する。主電源スイッチＳＷの遮断状態が検出されないとき、主電源スイッチ検出部１１からの出力はＨレベルである。
【００３２】
なお、主電源スイッチ検出部１１は、実際には電源回路１５に形成される場合が多いが、分かり易くするために電源回路１５から抜き出して図示する。
【００３３】
電源遮断検出部１３は、図示しないコンセントから電源ケーブル１７を介して得た外部交流電源（ＡＣ１００Ｖ）を接続した電源回路１５と、この電源回路１５に配置された例えばＡＣフォトトライアック（商標）等の電源遮断検出センサ１９を有してなり、電源遮断検出センサ１９が電源遮断状態を検出したとき、Ｌレベルの検出信号を電源検出部７の他方の入力部７ｂに出力する機能を有している。電源遮断状態が検出されないとき、電源遮断検出部１３からの出力はＨレベルである。
【００３４】
これにより、上述した電源検出部７は、図２Ａに示すように、主電源スイッチ検出部１１又は電源遮断検出部１３のいずれかの検出信号Ｓ２、Ｓ３がＬレベルのとき、すなわち、主電源スイッチのオフ状態、又は電源回路１５の電源遮断状態においてのみ、Ｌレベルの電源検出信号Ｓ４を第２のリセット検出部５に出力する。
【００３５】
さらに、上述した第２のリセット検出部５は、主電源スイッチのオフ状態、又は主電源スイッチの挿入された電源回路１５の電源遮断状態においてのみ、Ｌレベルの第２のリセット信号Ｓ５を出力する。
【００３６】
図１に戻って、論理回路９は、２入力１出力のＯＲ論理ゲートであり、第１又は第２のリセット検出部３、５のいずれかからＬレベルの第１又は第２のリセット信号Ｓ１、Ｓ５が入力されたとき、Ｌレベルの出力リセット信号Ｓ６を出力する機能を有している。
【００３７】
すなわち、図２Ｂに示すように、第１又は第２のリセット検出部３、５からの第１又は第２のリセット信号がＬレベルのとき、当該装置の構成要素としての図示しない電子回路をリセットさせるＬレベルの出力リセット信号Ｓ６を出力する。
【００３８】
次に、上述した本発明に係る電源制御装置Ａの動作を簡単に説明する。
【００３９】
まず、主電源スイッチ検出部１１又は電源遮断検出部１３から検出信号Ｓ２、Ｓ３が出力されない状態で、何らかの原因によって５Ｖの直流電源が第１の基準電圧を超えて低下したとき、第１のリセット検出部３がリセット信号Ｓ１を５０ｍｓｅｃの時間で出力する。
【００４０】
これにより、図５Ｂに示すように、論理回路９がＬレベルの出力リセット信号Ｓ６を電子回路等に出力し、電子回路が公知のリセット動作をする。
【００４１】
他方、主電源スイッチＳＷが操作されると主電源スイッチ検出部１１がオフ状態を検出し、又は、電源ケーブル１７の抜き差しがあって主電源スイッチＳＷの挿入された電源回路１５への電源が短期間でも遮断されると、電源検出部７の入力部７ａ、７ｂがＬレベルになって電源検出部７が電源検出信号Ｓ４を第２のリセット検出部５へ出力する。
【００４２】
主電源スイッチ検出部１１および電源遮断検出部１３がオフ状態や遮断状態を検出しないとき、電源検出信号Ｓ２、Ｓ３を出力しない。
【００４３】
主電源スイッチＳＷが操作され、又は電源ケーブル１７がコンセントから抜かれて直流電源が第２の基準電圧を超えて低下したとき、第２のリセット検出部５が第２のリセット信号Ｓ５を５０ｍｓｅｃの時間で出力し、図５Ｂに示すように、論理回路９がＬレベルの出力リセット信号Ｓ６を電子回路等に出力し、電子回路が公知のリセット動作をする。
【００４４】
主電源スイッチＳＷがオフ操作されず、電源ケーブル１７も抜かれない状態で、何らかの原因により、直流電源が第２の基準電圧を超えて低下しても、第１の基準電圧に達しない状態では、第１および第２のリセット検出部３、５が第１および第２のリセット信号Ｓ１、Ｓ５を出力しないから、論理回路９も出力リセット信号Ｓ６を電子回路等に出力せず、電子回路がリセット動作しない。
【００４５】
次に、上述した電源制御装置Ａを搭載した本発明の画像形成装置Ｂを図３を参照して説明する。
【００４６】
図２において、画像形成装置Ｂは、上述した電源制御装置Ａに加え、主制御部２１を中心にして画像取込部２３、記憶部２５、操作パネル部２７および印刷部２９を有し、例えば複合機を構成している。なお、画像形成装置Ｂとしてはこれ以外にも種々の構成を有するが、本発明の要部ではないので説明および図示を省略する。
【００４７】
画像取込部２３は、図示しない本体ケースの上部に配置され、主制御部２１の制御の下、原稿画像の表示された原稿用紙から当該紙面の画像状態を光学的に読み込み、フィルタ処理等をして電子的画像データを生成する公知のスキャナー等であり、生成した紙面画像データが原稿の頁毎に記憶部２５に順次記憶されるようになっている。
【００４８】
記憶部２５は、画像取込部２３からの画像データ、主制御部２１の動作プログラムおよび動作画面等を格納する読み書き可能な例えばハードディスク（ＨＤＤ）である。
【００４９】
操作パネル部２７は、本体ケースの上部に配置され、画像形成装置Ｂの動作状態を表示する液晶表示部と、この液晶表示部の上に重ねられた透過性を有するタッチスイッチ形のタッチ入力部を有し、主制御部２１によって制御される。
【００５０】
印刷部２９は、本体ケース内に配置され、用紙のセットされる給紙段と、この給紙段から給紙し搬送された用紙に対し、上述した画像データを展開した印刷イメージデータに基づきトナー剤でトナー像を画像形成する画像形成部と、そのトナー像を用紙に転写定着させる転写定着部等を有し、モノクロ印刷又はカラー印刷排紙する機能を有している。
【００５１】
主制御部２１は、ＣＰＵ、このＣＰＵの起動プログラムを格納したメモリ部、入出力インターフェース（いずれも図示せず。）を有し、上述した画像取込部２３、記憶部２５、操作パネル部２７および印刷部２９を制御するとともにその一部を担っている。
【００５２】
電源制御装置Ａは、それら主制御部２１、画像取込部２３、記憶部２５、操作パネル部２７および印刷部２９にあるモータ（図示せず）等の機構部品や電子回路に対し、５Ｖの直流電源その他の電源を供給するとともに、上述した出力リセット信号Ｓ６を供給している。
【００５３】
このように本発明に係る電源制御装置Ａは、当該装置における直流電源が所定の第１の基準電圧を越えて低下したとき第１のリセット信号Ｓ１を出力する第１のリセット検出部３と、当該装置における主電源スイッチＳＷのオフ状態、又は主電源スイッチＳＷの挿入された電源回路の電源遮断状態を検出して電源検出信号を出力する電源検出部７と、その電源検出信号の入力状態において、その直流電源がこれより低く第１の基準電圧より高い第２の基準電圧を越えて低下したとき第２のリセット信号Ｓ５を出力する第２のリセット検出部５と、それら第１又は第２のリセット検出部３、５から第１又は第２のリセット信号Ｓ１、Ｓ５が出力されたとき、当該装置の構成要素に出力してこれをリセットさせる出力リセット信号Ｓ６を出力する論理回路９を有している。
【００５４】
そのため、リセット検出に係る４．５Ｖの第１の基準電圧に係る第１のリセット検出部３とは別に、主電源スイッチＳＷがオフされたとき、又はコンセントから電源ケーブル１９が抜かれたときのみ有効となる第２の基準電圧４．８Ｖに係る第２のリセット検出部５を用いて構成したから、主電源スイッチＳＷがオフ状態又は電源電圧の遮断状態のみ、第１の基準電圧より高い第２の基準電圧でリセットの要否を検出することが可能である。
【００５５】
従って、装置の主電源スイッチが短期間でオフオンされたり、電源ケーブル１７がコンセントから短期間引き抜かれても、装置の構成要素に動作不安定を引き起こし難いし、静電気に起因して電源変動があっても誤動作し難い。
【００５６】
上述した本発明の電源制御装置Ａにおいては、第１および第２のリセット検出部３、５から装置の構成要素をリセットするリセット信号を各々独立して出力する構成も可能であり、論理回路９は必須ではない。
【００５７】
もっとも、論理回路９を用いて出力リセット信号Ｓ６を出力する構成では、第１又は第２のリセット信号Ｓ１、Ｓ５に基づき共通の出力リセット信号Ｓ６の出力が可能で、リセット信号の出力回路構成を複雑化し難い利点がある。
【００５８】
また、電源制御装置Ａは、主電源スイッチＳＷのオフ状態を検出する主電源スイッチ検出部１１と、その主電源スイッチＳＷの挿入された電源回路の電源遮断状態を検出する電源遮断検出部１３を有するから、主電源スイッチＳＷのオフ状態、又は電源回路の電源遮断状態を確実に検出可能である。
【００５９】
さらにまた、本発明に係る画像形成装置Ｂは、複写機、ファクシミリ機、複合機等において実施可能であり、本発明の電源制御装置Ａを搭載すれば、同様の効果を得ることが可能である。
【００６０】
また、本発明に係る電源制御装置は、上述した複写機、ファクシミリ機、複合機等の画像形成装置の他、種々の電子機器において液晶用電源制御装置として実施可能である。
【符号の説明】
【００６１】
１  リセット検出部
３  第１のリセット検出部
５  第２のリセット検出部
７  電源検出部
９  論理回路
１１  主電源スイッチ検出部
１３  電源遮断検出部
１５  電源回路
１７  電源ケーブル
１９  電源遮断検出センサ
２１  主制御部
２３  画像取込部
２５  記憶部
２７  操作パネル部
２９  印刷部
Ａ  電源制御装置
Ｂ  画像形成装置
ＳＷ  主電源スイッチ
【図１】
2011224865.tif 000003
【図２】
2011224865.tif 000004
【図３】
2011224865.tif 000005
【図４】
2011224865.tif 000006
【図５】
2011224865.tif 000007